(57)【要約】      （修正有）【課題】複数本同時に装着していても、ワイヤのコイル状部の絡みつきを防止できるようにした工具の落下防止用ワイヤ装置を提供する。【解決手段】装着側端部Ｗ１と工具連結側端部Ｗ２との間にコイル状部Ｗ３を形成したワイヤＷと、このワイヤＷの前記コイル状部Ｗ３に嵌装されるカバー体Ｋとを有する。前記カバー体Ｋはコイル状部Ｗ３に嵌装する蛇腹円筒部Ｋ１と、この蛇腹円筒部Ｋ１の一端部で前記ワイヤＷの装着側端部Ｗ１に取付けられる取付部Ｋ２と、前記蛇腹円筒部Ｋ１の他端部でワイヤＷのコイル状部Ｗ３を引き出し可能な開口Ｋ３とを形成しており、前記装着側端部Ｗ１にカバー体Ｋの取付部Ｋ２を留める留め具Ｔを設ける。【選択図】図１
0003144376.tif 000002
【実用新案登録請求の範囲】
【請求項１】
装着側端部（Ｗ１）と工具連結側端部（Ｗ２）との間にコイル状部（Ｗ３）を形成したワイヤ（Ｗ）と、このワイヤ（Ｗ）の前記コイル状部（Ｗ３）に嵌装されるカバー体（Ｋ）とを有しており、
前記カバー体（Ｋ）はコイル状部（Ｗ３）に嵌装する蛇腹円筒部（Ｋ１）と、この蛇腹円筒部（Ｋ１）の一端部で前記ワイヤ（Ｗ）の装着側端部（Ｗ１）に取付けられる取付部（Ｋ２）と、前記蛇腹円筒部（Ｋ１）の他端部でワイヤ（Ｗ）のコイル状部（Ｗ３）を引き出し可能な開口（Ｋ３）とを形成しており、
前記装着側端部（Ｗ１）にカバー体（Ｋ）の取付部（Ｋ２）を留める留め具（Ｔ）を設けていることを特徴とする工具の落下防止用ワイヤ装置。
【請求項２】
前記カバー体（Ｋ）は透明樹脂で形成されており、前記蛇腹円筒部（Ｋ１）は大径部（Ｋ１ａ）と小径部（Ｋ１ｂ）とをワイヤ長手方向に交互に有し、前記取付部（Ｋ２）は蛇腹円筒部（Ｋ１）からワイヤ（Ｗ）まで先窄まり状であることを特徴とする請求項１に記載の工具の落下防止用ワイヤ装置。
【請求項３】
前記留め具（Ｔ）はワイヤ（Ｗ）の装着側端部（Ｗ１）にワイヤ長手方向に間隔をおいて一対設けており、この一対の留め具（Ｔ）間に前記カバー体（Ｋ）の取付部（Ｋ２）の先窄まり状の先端（Ｋ２ａ）を留めていることを特徴とする請求項２に記載の工具の落下防止用ワイヤ装置。
【考案の詳細な説明】
【技術分野】
【０００１】
本考案は、腰ベルト等に装着する工具の落下防止用ワイヤ装置に関する。
【背景技術】
【０００２】
この種の従来技術においては、安全帯の工具サックに出し入れ自在に挿着する工具類を短い伸縮性帯有の螺旋コードを用いて安全帯に掛着接続させるように構成されている（例えば、特許文献１参照。）。
【特許文献１】実開昭６３−１１３５８１号公報
【考案の開示】
【考案が解決しようとする課題】
【０００３】
前記従来技術は、伸縮性ある螺旋コードを用いているので、工具を使用するときは伸び、使用しないときは収縮するので邪魔にならないが、螺旋コードを複数本装着していると、相互に絡みつくことがある。
本考案は、このような従来技術の問題点を解決できるようにした工具の落下防止用ワイヤ装置を提供することを目的とする。
本考案は、ワイヤのコイル状部にカバー体を嵌装して、複数本同時に装着していても、ワイヤのコイル状部の絡みつきを防止できるようにした工具の落下防止用ワイヤ装置を提供することを目的とする。
【課題を解決するための手段】
【０００４】
本考案における課題解決のための具体的手段は、次の通りである。
第１に、装着側端部Ｗ１と工具連結側端部Ｗ２との間にコイル状部Ｗ３を形成したワイヤＷと、このワイヤＷの前記コイル状部Ｗ３に嵌装されるカバー体Ｋとを有しており、
前記カバー体Ｋはコイル状部Ｗ３に嵌装する蛇腹円筒部Ｋ１と、この蛇腹円筒部Ｋ１の一端部で前記ワイヤＷの装着側端部Ｗ１に取付けられる取付部Ｋ２と、前記蛇腹円筒部Ｋ１の他端部でワイヤＷのコイル状部Ｗ３を引き出し可能な開口Ｋ３とを形成しており、
前記装着側端部Ｗ１にカバー体Ｋの取付部Ｋ２を留める留め具Ｔを設けていることを特徴とする。
【０００５】
第２に、前記カバー体Ｋは透明樹脂で形成されており、前記蛇腹円筒部Ｋ１は大径部Ｋ１ａと小径部Ｋ１ｂとをワイヤ長手方向に交互に有し、前記取付部Ｋ２は蛇腹円筒部Ｋ１からワイヤＷまで先窄まり状であることを特徴とする。
第３に、前記留め具ＴはワイヤＷの装着側端部Ｗ１にワイヤ長手方向に間隔をおいて一対設けており、この一対の留め具Ｔ間に前記カバー体Ｋの取付部Ｋ２の先窄まり状の先端Ｋ２ａを留めていることを特徴とする。
【考案の効果】
【０００６】
本考案によれば、複数本のワイヤを同時に装着していても、それらのコイル状部が絡まるのをカバー体で防止することができる。
【考案を実施するための最良の形態】
【０００７】
以下、本考案の実施の形態を図面に基づいて説明する。
図１〜４において、落下防止用ワイヤ装置１は、長尺のワイヤＷと、透明樹脂製のカバー体Ｋとを有する。
前記ワイヤＷは、作業者の腰ベルト等にフック３を介して装着される装着側端部Ｗ１と、電動ドリル等の工具にフック４を介して連結される工具連結側端部Ｗ２と、この装着側端部Ｗ１と工具連結側端部Ｗ２との間に形成されたコイル状部Ｗ３とを有する。
前記装着側端部Ｗ１は最端部がループ状に形成されていてフック３に連結され、前記工具連結側端部Ｗ２も最端部がループ状に形成されていてフック４に連結されており、この工具連結側端部Ｗ２は装着側端部Ｗ１よりもワイヤ長手方向の寸法が長く形成され、コイル状部Ｗ３は腰ベルト、フック３寄りに位置している。
【０００８】
前記カバー体Ｋは概ね有底円筒形状であり、コイル状部Ｗ３に嵌装する蛇腹円筒部Ｋ１と、この蛇腹円筒部Ｋ１の一端部（底側）で前記ワイヤＷの装着側端部Ｗ１に取付けられる取付部Ｋ２と、前記蛇腹円筒部Ｋ１の他端部でワイヤＷのコイル状部Ｗ３を引き出し可能な開口Ｋ３とを形成している。
図１、２から明らかなように、前記蛇腹円筒部Ｋ１は円弧山形状の大径部Ｋ１ａと円弧谷形状の小径部Ｋ１ｂとをワイヤ長手方向に交互に有し、外周面が波形状になっている。
前記取付部Ｋ２は蛇腹円筒部Ｋ１の端縁からワイヤＷまで先窄まり状（略円錐形状）であり、窄まった先端Ｋ２ａはワイヤＷに留められている。
【０００９】
前記開口Ｋ３はワイヤＷのコイル状部Ｗ３の一部を出入り自由にしている。前記取付部Ｋ２がコイル状部Ｗ３の装着側端部Ｗ１側に対して不動であるので、工具を使用するために工具連結側端部Ｗ２を引っ張ると、工具連結側端部Ｗ２に繋がるコイル状部Ｗ３が引っ張られ、コイル状部Ｗ３が弾力的に伸張しながら蛇腹円筒部Ｋ１から露出するために、前記開口Ｋ３が設けられている。
前記ワイヤＷの装着側端部Ｗ１には留め具Ｔがワイヤ長手方向に間隔をおいて一対設けられている。この一対の留め具Ｔはその間に前記取付部Ｋ２の先窄まり状の先端Ｋ２ａを嵌合して留めている。この留め具Ｔによって、カバー体ＫはワイヤＷのコイル状部Ｗ３の装着側端部Ｗ１側に対して不動になっており、カバー体Ｋはコイル状部Ｗ３を常に覆うことになる。
【００１０】
図４において、前記落下防止用ワイヤ装置１は、ワイヤＷの装着側端部Ｗ１がフック３を介して作業者に装着され、工具連結側端部Ｗ２がフック４を介して電動ドリル５の柄に連結されており、電動ドリル５を誤って落としても、ワイヤＷが伸びるだけでそれ以上の落下を防止する。
電動ドリル５を使用するときに、電動ドリル５を身体から離していくと、工具連結側端部Ｗ２を引っ張り、それによりコイル状部Ｗ３が弾力的に伸張しながら開口Ｋ３からはみ出る。電動ドリル５を身体に近づけると、また、工具連結側端部Ｗ２の引っ張りを解除すると、コイル状部Ｗ３はその形状による復元作用により収縮して、開口Ｋ３から蛇腹円筒部Ｋ１内に入って収まる。
【００１１】
従って、作業者が複数個の工具をワイヤＷで装着していても、それらのワイヤＷのコイル状部Ｗ３同士はカバー体Ｋで覆われているので、絡みつくのが防止される。
【図面の簡単な説明】
【００１２】
【図１】本考案の実施の形態を示す要部の正面図である。
【図２】落下防止用ワイヤ装置の全体正面図である。
【図３】落下防止用ワイヤ装置の使用状態説明図である。
【図４】図２のＸ矢視図である。
【符号の説明】
【００１３】
１        落下防止用ワイヤ装置
３        フック
４        フック
５        電動ドリル
Ｗ        ワイヤ
Ｗ１      装着側端部
Ｗ２      工具連結側端部
Ｗ３      コイル状部
Ｋ        カバー体
Ｋ１      蛇腹円筒部
Ｋ１ａ    大径部
Ｋ１ｂ    小径部
Ｋ２      取付部
Ｋ２ａ    先端
Ｋ３      開口
Ｔ        留め具
【図１】
0003144376.tif 000003
【図２】
0003144376.tif 000004
【図３】
0003144376.tif 000005
【図４】
0003144376.tif 000006